(57)【要約】【課題】鑑賞した画像を簡単な操作で所望の大きさにプリントアウトすることが可能な表示装置及び再生装置並びにプロジェクタを提供することである。【解決手段】ランプ２６からの光によって投影画像を投影面に向けて投影するプロジェクタに於いて、上記投影画像がプリント用紙３６の大きさに応じて、制御部により拡大若しくは縮小制御される。そして、この拡大若しくは縮小された投影画像が、プリント部３６によってプリント用紙３６に印刷される。【選択図】      図１
2006126480.tif 000002
【特許請求の範囲】
【請求項１】
画像データを投影再生する機能を有する表示装置に於いて、
上記再生画像の投影面上の大きさに応じて画像を、拡大、縮小してプリントするプリンタ機能を具備することを特徴とする表示装置。
【請求項２】
上記投影面上の再生画像の大きさは、上記投影面までの距離に応じて検出されることを特徴とする請求項１に記載の表示装置。
【請求項３】
画像データと音声データを再生する再生装置に於いて、
上記再生中の画像を用紙に印刷する若しくは上記音声データに対応する情報をコード化して上記用紙上に印刷する機能を有することを特徴とする再生装置。
【請求項４】
上記音声データに対応する情報は、上記画像再生時に背景音楽として使用された楽曲の曲名またはメロディまたはそれを特定可能な商品名、ダウンロード時のアドレス等であることを特徴とする請求項３に記載の再生装置。
【請求項５】
ランプを用いて画像を投影するプロジェクタに於いて、
上記ランプの点灯時に、上記投影画像フィルムの通信を行うことを特徴とするプロジェクタ。
【請求項６】
ランプを用いて画像投影するプロジェクタに於いて、
上記投影画像を印刷するための印刷指定スイッチ手段を有し、
上記ランプの消灯時に、上記印刷指定スイッチで指定された画像を印刷することを特徴とするプロジェクタ。
【請求項７】
光源からの光によって投影画像を投影面に向けて投影するプロジェクタに於いて、
上記投影面上の大きさに応じて上記投影画像を拡大若しくは縮小する制御を行う制御手段と、
上記制御手段で拡大若しくは縮小された投影画像を印刷する印刷手段と、
を具備することを特徴とするプロジェクタ。
【請求項８】
上記投影面上の投影画像の大きさは、上記制御手段によって上記投影面までの距離に応じて決定されることを特徴とする請求項７に記載のプロジェクタ。
【請求項９】
上記投影面までの距離を検出する距離検出手段を更に具備し、
上記制御手段は上記距離検出手段で得られた投影面までの距離に応じて上記投影画像の大きさを決定することを特徴とする請求項８に記載のプロジェクタ。
【請求項１０】
上記印刷手段で印刷する上記投影画像を選択するための選択手段を更に具備することを特徴とする請求項８に記載のプロジェクタ。
【請求項１１】
上記印刷手段は、上記光源の消灯時に上記選択手段で選択された投影画像を印刷することを特徴とする請求項１０に記載のプロジェクタ。
【請求項１２】
上記制御手段は、上記光源の点灯時に、上記投影画像に対応したデータの通信を行うことを特徴とする請求項１１に記載のプロジェクタ。
【請求項１３】
音声データを再生する音声再生手段と、上記音声データに対応する情報をコード化する変換手段と、を更に具備し、
上記印刷手段は、上記投影画像及び上記変換手段でコード化された情報の少なくとも一方を上記用紙に印刷することを特徴とする請求項７に記載のプロジェクタ。
【請求項１４】
画像を投影する光源と、
上記光源により投影された画像を投影レンズを介して投影面上に投影する投影手段と、
上記投影面上の大きさに応じて上記投影画像を拡大若しくは縮小する制御を行う制御手段と、
上記制御手段で拡大若しくは縮小された投影画像を印刷する印刷手段と、
を具備することを特徴とするプロジェクタ。
【請求項１５】
上記投影面上の投影画像の大きさは、上記制御手段によって上記投影面までの距離に応じて決定されることを特徴とする請求項１４に記載のプロジェクタ。
【請求項１６】
上記投影面までの距離を検出する距離検出手段を更に具備し、
上記制御手段は上記距離検出手段で得られた投影面までの距離に応じて上記投影画像の大きさを決定することを特徴とする請求項１５に記載のプロジェクタ。
【請求項１７】
上記印刷手段で印刷する上記投影画像を選択するための選択手段を更に具備することを特徴とする請求項１５に記載のプロジェクタ。
【請求項１８】
上記印刷手段は、上記光源の消灯時に上記選択手段で選択された投影画像を印刷することを特徴とする請求項１７に記載のプロジェクタ。
【請求項１９】
上記制御手段は、上記光源の点灯時に、上記投影画像に対応したデータの通信を行うことを特徴とする請求項１８に記載のプロジェクタ。
【請求項２０】
音声データを再生する音声再生手段と、上記音声データに対応する情報をコード化する変換手段と、を更に具備し、
上記印刷手段は、上記投影画像及び上記変換手段でコード化された情報の少なくとも一方を上記用紙に印刷することを特徴とする請求項１４に記載の再生装置。
【発明の詳細な説明】
【技術分野】
【０００１】
本発明は、画像を投影表示するプロジェクタを含む表示装置及び再生装置の改良に関し、より詳細には、表示画像をプリントアウト可能なプリンタ機能を有するタイプのプロジェクタに関するものである。
【背景技術】
【０００２】
プロジェクタは、本体の大きさ以上の画面で再生可能なことから、従来のプレゼンテーション用のビジネスコースから、近年、家庭内での映画鑑賞や写真鑑賞にまで利用領域が広がっている。
【０００３】
こうしたプロジェクタの提案は古くからなされており、例えば、オーバーヘッドプロジェクタにプリンタ機能を持たせ、読み取った資料をコピーすることができる仕様のプロジェクタが知られている（例えば、特許文献１参照）。また、省スペース化のためにプロジェクタとプリンタを積み重ねた構成のプロジェクタが知られている（例えば、特許文献２参照）。
【特許文献１】特開平５−９３９５７号公報
【特許文献２】特開２００３−２０９６４６号公報
【発明の開示】
【発明が解決しようとする課題】
【０００４】
しかしながら、上述した特許文献１及び特許文献２に記載のものは、プロジェクタによって投影された画像に対して、プリントアウトする際にユーザが所望の大きさに拡大、縮小する等、設定変更することは容易ではなく、またその設定変更の操作が煩わしいものであった。
【０００５】
本発明は上記実情に鑑みてなされたものであり、プロジェクタで鑑賞した画像を簡単な操作で所望の大きさにプリントアウトすることが可能な表示装置及び再生装置並びにプロジェクタを提供することを目的とする。
【課題を解決するための手段】
【０００６】
すなわち、請求項１に記載の発明は、画像データを投影再生する機能を有する表示装置に於いて、上記再生画像の投影面上の大きさに応じて画像を、拡大、縮小してプリントするプリンタ機能を具備することを特徴とする。
【０００７】
請求項２に記載の発明は、請求項１に記載の発明に於いて、上記投影面上の再生画像の大きさは、上記投影面までの距離に応じて検出されることを特徴とする。
【０００８】
請求項３に記載の発明は、画像データと音声データを再生する再生装置に於いて、上記再生中の画像を用紙に印刷する若しくは上記音声データに対応する情報をコード化して上記用紙上に印刷する機能を有することを特徴とする。
【０００９】
請求項４に記載の発明は、請求項３に記載の発明に於いて、上記音声データに対応する情報は、上記画像再生時に背景音楽として使用された楽曲の曲名またはメロディまたはそれを特定可能な商品名、ダウンロード時のアドレス等であることを特徴とする。
【００１０】
請求項５に記載の発明は、ランプを用いて画像を投影するプロジェクタに於いて、上記ランプの点灯時に、上記投影画像フィルムの通信を行うことを特徴とする。
【００１１】
請求項６に記載の発明は、ランプを用いて画像投影するプロジェクタに於いて、上記投影画像を印刷するための印刷指定スイッチ手段を有し、上記ランプの消灯時に、上記印刷指定スイッチで指定された画像を印刷することを特徴とする。
【００１２】
請求項７に記載の発明は、光源からの光によって投影画像を投影面に向けて投影するプロジェクタに於いて、上記投影面上の大きさに応じて上記投影画像を拡大若しくは縮小する制御を行う制御手段と、上記制御手段で拡大若しくは縮小された投影画像を印刷する印刷手段と、を具備することを特徴とする。
【００１３】
請求項８に記載の発明は、請求項７に記載の発明に於いて、上記投影面上の投影画像の大きさは、上記制御手段によって上記投影面までの距離に応じて決定されることを特徴とする。
【００１４】
請求項９に記載の発明は、請求項８に記載の発明に於いて、上記投影面までの距離を検出する距離検出手段を更に具備し、上記制御手段は上記距離検出手段で得られた投影面までの距離に応じて上記投影画像の大きさを決定することを特徴とする。
【００１５】
請求項１０に記載の発明は、請求項８に記載の発明に於いて、上記印刷手段で印刷する上記投影画像を選択するための選択手段を更に具備することを特徴とする。
【００１６】
請求項１１に記載の発明は、請求項１０に記載の発明に於いて、上記印刷手段は、上記光源の消灯時に上記選択手段で選択された投影画像を印刷することを特徴とする。
【００１７】
請求項１２に記載の発明は、請求項１１に記載の発明に於いて、上記制御手段は、上記光源の点灯時に、上記投影画像に対応したデータの通信を行うことを特徴とする。
【００１８】
請求項１３に記載の発明は、請求項７に記載の発明に於いて、音声データを再生する音声再生手段と、上記音声データに対応する情報をコード化する変換手段と、を更に具備し、上記印刷手段は、上記投影画像及び上記変換手段でコード化された情報の少なくとも一方を上記用紙に印刷することを特徴とする。
【００１９】
請求項１４に記載の発明は、画像を投影する光源と、上記光源により投影された画像を投影レンズを介して投影面上に投影する投影手段と、上記投影面上の大きさに応じて上記投影画像を拡大若しくは縮小する制御を行う制御手段と、上記制御手段で拡大若しくは縮小された投影画像を印刷する印刷手段と、を具備することを特徴とする。
【００２０】
請求項１５に記載の発明は、請求項１４に記載の発明に於いて、上記投影面上の投影画像の大きさは、上記制御手段によって上記投影面までの距離に応じて決定されることを特徴とする。
【００２１】
請求項１６に記載の発明は、請求項１５に記載の発明に於いて、上記投影面までの距離を検出する距離検出手段を更に具備し、上記制御手段は上記距離検出手段で得られた投影面までの距離に応じて上記投影画像の大きさを決定することを特徴とする。
【００２２】
請求項１７に記載の発明は、請求項１５に記載の発明に於いて、上記印刷手段で印刷する上記投影画像を選択するための選択手段を更に具備することを特徴とする。
【００２３】
請求項１８に記載の発明は、請求項１７に記載の発明に於いて、上記印刷手段は、上記光源の消灯時に上記選択手段で選択された投影画像を印刷することを特徴とする。
【００２４】
請求項１９に記載の発明は、請求項１８に記載の発明に於いて、上記制御手段は、上記光源の点灯時に、上記投影画像に対応したデータの通信を行うことを特徴とする。
【００２５】
請求項２０に記載の発明は、請求項１４に記載の発明に於いて、音声データを再生する音声再生手段と、上記音声データに対応する情報をコード化する変換手段と、を更に具備し、上記印刷手段は、上記投影画像及び上記変換手段でコード化された情報の少なくとも一方を上記用紙に印刷することを特徴とする。
【発明の効果】
【００２６】
本発明によれば、プロジェクタ特有の機能や、プロジェクタを使ってのデータ再生時の仕様状況を十分に考慮し、プロジェクタで鑑賞した画像を簡単な操作で所望の大きさにプリントアウトすることが可能な表示装置及び再生装置並びにプロジェクタを提供することができる。
【発明を実施するための最良の形態】
【００２７】
以下、図面を参照して本発明の実施形態について説明する。
【００２８】
図１は、本発明の一実施形態に係るプロジェクタシステムの電気系の構成を示すブロック図である。
【００２９】
図１に於いて、このプロジェクタシステムは、カメラ部１０とプロジェクタ部２０とにより構成される。
【００３０】
カメラ部１０は、このカメラ部１０内の各部の制御を司り、操作スイッチ１４を有した制御部１１と、記録再生部１２と、メモリ１３とを有して構成される。そして、ユーザの操作スイッチ１４の操作状態に応じて記録再生部１２が制御され、撮影や録音の結果をメモリ１３にデジタル圧縮して記録したり、この記録内容を再生したりすることができるようになっている。
【００３１】
尚、この記録再生部１２によってカメラ背面のディスプレイ（図示せず）に画像再生できるようにしたり、カメラ内蔵のスピーカから音声を出力したり、後述する外部スピーカ３５やプロジェクタ２０に内蔵のスピーカ３３を介して音声再生ができるようにしてもよい。
【００３２】
画像に関しては、上記記録再生部１２を介してプロジェクタ２０に画像を送ってもよい。しかしながら、本実施形態では、より高画質の画像音声データを送るべく、メモリ１３内の圧縮されて記録されているデジタルデータが、制御部１１からプロジェクタ２０側の制御部２１に転送されて再生されようにしている。
【００３３】
一方、プロジェクタ２０は、操作スイッチ３０を有した制御部２１を有している。この制御部２１は、プロジェクタ２０の各部の制御を司る他、画像を拡大、縮小するための拡大縮小手段である拡大縮小部、後述する音声データ等のコード化を行う処理手段である処理回路部としての機能を有している。また、上記操作スイッチ３０は、印刷指定スイッチ手段或いは選択手段として、後述するようにユーザが所望の画像や音声データのプリントを行う際に操作されるスイッチである。
【００３４】
そして、この制御部２１には、カメラ部１０より送られてきた記録データを伸長展開する展開部２２と、この伸長展開されたデータに応じた画像を表示する表示部２３と、画像を図示されないスクリーンに投影するために投影手段としての投影レンズ２５を駆動制御すると共に、該スクリーンまでの距離を測定してピントを合わせるためのピント制御部２４と、投影用の光源であるランプ２６と、表示用メモリ２７及びプリンタ用メモリ２８と、このプロジェクタ２０と図示されないスクリーンまでの距離を検出する距離検出手段である距離検出部２９とが接続されている。
【００３５】
更に、このプロジェクタ２０は、展開部２２で伸張展開されたデータに応じた音声を増幅するアンプ３１と、画像を用紙３６に出力（プリントアウト）するためのプリント部３２と、アンプ３１で増幅された音声を出力する内蔵スピーカ３３を有してなる。尚、アンプ３１で増幅された音声は、外部スピーカ３５より出力されるようにしてもよい。
【００３６】
このような構成のプロジェクタ２０に於いて、カメラ部１０より転送された記録データは、表示用メモリ２７に記録される。そして、展開部２２で伸張展開された後、表示部２３とアンプ３１が制御部２１により制御されて画像音声再生が行われる。この際、再生画像は、ランプ２６の光による照明と投影レンズ２５を介して、図示されないスクリーンに拡大投影される。
【００３７】
上記投影レンズ２５は、投影されるスクリーンまでの距離に従ってピント合わせする機能を有している。このピント合わせは、ピント制御部２４及び距離検出部２９の検出結果に基づく公知のオートフォーカス式により求められるものでもよいし、手動で求められるようにしてもよい。何れにせよ、このピント制御部２４のピント制御結果は、距離検出部２９で得られたスクリーンまでの距離に対応するものなので、このピント合わせ位置を判定してもスクリーンまでの距離を測定することができる。
【００３８】
ここで、表示されている画像のプリントアウトを希望する場合には、ユーザにより操作スイッチ３０が操作される。すると、制御部２１によって画像展開結果が展開部２２からプリント部３２に供給され、プリント用紙３６に印刷されるようになっている。また、プリントするための画像は、プリント部３２専用のプリンタ用メモリ２８に記録しておくことができるようにする。
【００３９】
更に、内蔵スピーカ３３または外部スピーカ３５より出力される音楽に関しては、ユーザ自身で収録したものでもよく、また音楽データとして入手したものがカメラのメモリ１
３に記録されているとする。
【００４０】
次に、図２を参照して、このような構成のプロジェクタシステムの操作方法について説明する。
【００４１】
図２（ａ）に示されるように、カメラ部１０で撮影し、音楽データと対応付けられた画像データが、机４０上に載置されたプロジェクタ２０に転送され、更に投影レンズ２５を介して投影画像４１が再生される。このとき、外部スピーカ３５Ｌ、３５Ｒによって音楽がバックグラウンドミュージック（ＢＧＭ；背景音楽）として再生されるに従って、図２（ｂ）に示されるように、順次画像が切り換えられる。
【００４２】
尚、外部スピーカ３５を用いなくても、手軽に音楽再生する場合は、内蔵スピーカ３３を利用してもよい。
【００４３】
このように、画像を再生している途中でプリントアウトしたい画像があった場合は、ユーザ３９が操作スイッチ３０を操作することによって、プリント用紙３６が出力されるようになっている。
【００４４】
図３は、このようなプロジェクタ２０の内部に搭載された光源部（ランプ）の、より詳細な構成を示した図である。
【００４５】
図３（ａ）に於いて、光源である高圧水銀ランプ２６より照射された光は、リフレクタ４５により反射されて、光のムラをなくすライトガイド４６に集光される。このライトガイド４６から出力された均一な照明光は、フィルタを有するカラーホイール４７によって時分割で３色に分解される。そして、レンズ４８とミラー４９ａ及び４９ｂを経てデジタルミラーデバイス（ＤＭＤ）５０が照明され、このＤＭＤ５０の反射光が投影レンズ２５によって外部に出力される。
【００４６】
上記ＤＭＤ３７は、図３（ｂ）に示されるように、微小な角度制御可能なミラーが２次元配置されたもので、個々のミラーの角度が制御されることによって、画像の陰影が再現されるようになっている。投影レンズ２５の存在する所定の方向に反射された光は、像の明るい部分を形成し、微小ミラーの角度制御でその他の部分に反射させられた光は、像の暗い部分を形成する。カラーフィルタを切り換えるカラーホイール４７の制御に同期してこれらのミラーの角度制御を行うと、忠実な色再現が可能となる。
【００４７】
図４は、プロジェクタ２０によって投影される画像のサイズが、投影距離によって変化することを示している。
【００４８】
図４（ａ）に於いて、投影レンズ２５の焦点距離をｆT とし、ＤＭＤ５０の幅をＷ0 とすると、投影レンズ２５からＬP1の距離に投影された像の幅はＷ1 となり、ＬP2の距離に投影された像の幅はＷ2 となる。つまり、下記（１）式に表されるように、投影距離ＬP が大きくなる程、大きな画像となる。  
Ｗ＝（ＬP ／ｆT ）・Ｗ0                                       …（１）
したがって、この投影状態でプリント用紙と同じ大きさの用紙３６を投影光路上にあてると、その距離に応じて、図４（ｂ）、（ｃ）に示されるように、用紙面３６に対して画面５３が占める割合が変化する。つまり、用紙面３６を近距離にかざした場合は図４（ｂ）に示されるように、遠距離にかざした場合いは図４（ｃ）に示されるように画像が見えるので、ユーザはどの大きさでプリントしたらよいのかが、投影された状態でダイレクトに判断することができる。
【００４９】
本実施形態に於いては、この投影画面上の大きさに従って、実際のプリント時の画面サイズを決定するようにしている。また、本実施形態では、鑑賞している人がＢＧＭとして流れている音楽のデータを欲しい場合には、そのデータをもプリントの形式で渡すことができるようにしたという特徴がある。つまり、音楽に関する情報を、図４（ｂ）に示されるように、２次元バーコード５４のような形式で印刷することで入手することができる。また、画像には興味がなく音楽の情報のみが欲しい人には、図４（ｄ）に示されるように、プリント用紙３６上に、バーコード５４による情報のみを印刷して渡すことができるようにしてもよい。
【００５０】
このようなプリント機能を有するプロジェクタシステムは、図５及び図６のフローチャートに基づく制御によって、上述した特徴的な機能を実現することができる。
【００５１】
つまり、再生が開始されると、プロジェクタシステムのランプの点灯が行われるが、この時、ランプはすぐには安定した光量にならないのでこの安定時間を有効利用するようにしている。
【００５２】
本ルーチンが開始されると、先ずステップＳ１にてランプ２６が点灯され、続くステップＳ２に於いてランプ２６の光量が安定したか否かが判定される。ここで、安定しない場合は、ステップＳ３へ移行して、カメラ部１０側から送信されるデータが読み込まれる。その後、上記ステップＳ２へ移行する。
【００５３】
一方、ランプ２６の光量が安定したならば、ステップＳ４へ移行してデータ読み込みが終了したか否かが判定される。ここで、まだデータの読み込みが終了していない場合には、ステップＳ５へ移行して引き続きデータの読み込みが行われる。その後、上記ステップＳ４へ移行する。
【００５４】
すなわち、ランプの光量が安定するまで、カメラ部１０よりこれから再生されるデータの送信が行われ、データ読み込み終了まで、そのデータの読み込みが継続される。
【００５５】
こうして、ステップＳ６にて画像表示及び音楽再生が開始される。ここで、ステップＳ７に於いて、再生されている画像または音楽のデータについて、ユーザが所望のものであるか否かが判定される。つまり、現在再生されている画像または音楽をユーザが入手したいとしたならば、例えばユーザによって操作スイッチ３０が操作されることにより、ステップＳ８へ移行して、該当する画像や音楽のデータがプリンタ用メモリ２８に記憶される。一方、上記ステップＳ７にて、操作スイッチが操作されなければ、ステップＳ９へ移行する。
【００５６】
ステップＳ９では、ＢＧＭとしての音楽が再生されている間であって、所定時間が経過したか否かが判定される。ここで、所定時間が経過していない場合は上記ステップＳ７へ移行して、以降の処理が繰り返される。一方、上記ステップＳ９にて所定時間が経過したならば、続くステップＳ１０にて、再生画像が、図２（ｂ）に示されるように、順次切り換えられる。以上の再生データの記憶、画像切り換えの処理動作は、ステップＳ１１に於いて再生終了と判定されるまで継続される。
【００５７】
ステップＳ１２では、上記ステップＳ８にてプリンタ用メモリ２８に記憶された内容が再生される。そして、ステップＳ１３にて、プリントアウトされるデータが画像であるのか音楽であるのか、その旨がユーザの指示に応じて判定される。プリントアウトされるのが音楽である場合は後述するステップＳ２１へ移行し、画像である場合はステップＳ１４へ移行する。
【００５８】
ステップＳ１４では、プリンタ用メモリ２８に記憶された画像が、プロジェクタ２０からどれくらい離れた距離に投影されているか、ピント位置検出が行われる。
【００５９】
これは、距離検出部２９を構成する、例えば、図７に示されるような構成の測距装置によって、投影距離ＬP を求めるようにしてもよい。つまり、投影レンズ２５からＤＭＤ５０の所定部分を制御して、投影レンズ２５を介して投影された光点５８を投影し、その光が反射されたものを受光レンズ５９と光位置検出素子６０によって受光する。このとき、両レンズの主点間距離をＢとし、受光レンズ５９の焦点距離をｆJ とすると、下記（２）式のように表される関係が成立する。  
ＬP ＝Ｂ・ｆJ ／ｘ                                          …（２）
したがって、受光位置ｘを検出することによって、投影距離ＬP を算出することができる。
【００６０】
本実施形態によれば、図８（ａ）に示されるように、ユーザ３９がプリント用紙と同じ大きさの用紙３６ａを把持して画像投影を行えば、この時に投影されたとおりの画像の大きさで（例えば、図４（ｂ）、（ｃ）のように）切り換えてプリントアウトすることが可能となる。
【００６１】
つまり、ステップＳ１５では、上記（１）式に基づいて、ユーザ３９が手に把持したスクリーンへの投影時の画像の幅Ｗが算出される。そして、ステップＳ１６では、この画像の幅Ｗが所定範囲内であるか否かが判定される。
【００６２】
ここで、幅Ｗが所定範囲内であれば、ステップＳ１７に移行して、この幅Ｗと、予め決まっているプリント用紙の幅ｘP に従って、プリント時の画像拡大率が決定される。この際、わざわざ大きさを指定しなくとも通常印刷でプリント用紙３６ｂに丁度画面が収まるようなプリントでよい場合は、図８（ｂ）に示されるように、ユーザ３９は、通常の投影状態のままで、操作スイッチ３０を操作すればよい。
【００６３】
ところが、投影距離ＬP が大きいと、上記（１）式のように、上記ステップＳ１６にて幅Ｗが大きいと判定され、所定範囲内に画面が収まらなくなる。したがって、この場合は、ステップＳ１８に移行して、プリント用紙３６ｂの大きさに全画面を収める形式の印刷が行われるようにする。
【００６４】
こうして、ピント制御部２４、距離検出部２９及び制御部２１等によって、印刷される画像の拡大率が決定されると、ステップＳ１９に移行して、それに従ってプリンタに画像をプリントするためのプリンタ用メモリ２８に拡大率を反映させた画像データが入力され、プリントに備える。次いで、ステップＳ２０に於いて、プリントアウトされるプリント用紙に余白があるか否かが判定される。
【００６５】
これは、図４（ｂ）に示されるように、プリント用紙３６に余白がある場合は、ステップＳ２１へ移行して、再生画像のＢＧＭとして使用されていた音楽の内容をデータコード化してプリントできるようにする。
【００６６】
このＢＧＭ用音楽は、静止画鑑賞用に作成されており、特定のＷｅｂサイトからダウンロードすることができるようになっている。また、特定のＣＤやＤＶＤからコピーすることができるようになっていて、その時に、このコードデータも記録されるようにしておく。このステップＳ２１でのコード化は、所定のフォーマットで二次元バーコードとして、プリント可能にすることを示している。
【００６７】
こうして、ステップＳ２２にてプリント用の表示が終了であるか否かが判定される。その結果、表示終了であれば、ステップＳ２３に移行して消灯及びプリントアウトの処理に入る。一方、表示終了しない場合は、上記ステップＳ１２へ移行して、次のプリント候補が表示される。
【００６８】
ステップＳ２３ではランプ２６が冷却される。これは、高圧水銀ランプは温度制御をしながら消灯しないと寿命が劣化するので、このステップＳ２３にて、図示されないファン等が駆動されて冷却されるようにしている。そして、このランプ冷却から所定の時間を待って電源がオフされるようになっているが、この待機時間を利用して、ステップＳ２４に於いてプリントアウトが行われる。
【００６９】
一般に、プリントアウトにも時間を要するが、このように時間を要するランプ冷却とプリントアウトの処理ステップが重ねて行われるようにしたので、プリントアウトに時間を費やしたり、冷却に時間を費やしたりする時間の無駄を対策することができる。
【００７０】
そして、ステップＳ２５に於いて、プリントアウトが終了するまで、ステップＳ２６へ移行してランプ２６が冷却され、上記ステップＳ２５〜Ｓ２６が繰り返される。
【００７１】
このように、本実施形態によれば、データ転送時間やプリントアウトの時間を、ランプ使用のプロジェクタ特有の待機時間に合わせて取ったので、時間の無駄を省くことができる。
【００７２】
また、プロジェクタの画像再生中にプリントが欲しくなったり、ＢＧＭで使用されている音楽が欲しくなったりすると、その再生タイミングで操作スイッチを操作することによって、簡単に画像や音楽を得ることができる。また、大きさを変更してプリントしたい場合には、図８（ａ）に示されるように、わかりやすく、実際にそのプリントサイズを確かめながらプリントアウトすることができるので、同じ画像からも、例えば、図４（ｂ）、（ｃ）に示されるような多様なプリントが可能となる。
【００７３】
本発明は、ＢＧＭのデータもプリントアウトできる点が特徴となっている。
【００７４】
次に、上述したようなプロジェクタにより得られた２次元バーコードから音楽情報を入手する際の操作について、図９を参照して説明する。
【００７５】
図９は、本発明のプロジェクタを使用して印刷されたバーコードから音楽再生する例を説明するもので、（ａ）はカメラ付きの携帯電話機を使用してバーコードから音楽を再生する例を示した図、（ｂ）はデジタルカメラを使用してバーコードから音楽再生する例を示した図である。
【００７６】
図９（ａ）に於いて、ユーザは、カメラ付きの携帯電話機６３設けられたモニタ６４を見ながらプリント用紙３６上のバーコード５４を読み取る（カメラで撮影する）。これにより、バーコード５４に対応した音楽が、携帯電話機６３のスピーカ６５で再生されている。
【００７７】
また、図９（ｂ）は、図９（ａ）に示されるようなシーンで使用された携帯電話機６３と同様の仕様を有するデジタルカメラ１０が示されている。図９（ｂ）に於いて、デジタルカメラ１０の操作スイッチ１４が操作されると、バーコード５４が撮影され、その撮影画像によってバーコード５４の内容が解析される。これにより、モニタ画面１６やスピーカ１７を有効利用して、音楽の内容を表示したり音楽そのものを再生することができるようにしている。
【００７８】
次に、プロジェクタを使用して印刷されたバーコードから音楽再生する動作について、図１０のフローチャートを参照して説明する。
【００７９】
先ず、ステップＳ３１にてプリント用紙３６上のバーコード５４がカメラによって撮影される。続くステップＳ３２に於いては、上記ステップＳ３１で撮影されたバーコード５４のデータがデコード可能であるか否かが判定される。ここで、そのまま音声として再生可能であったり、テキストとして再生可能である場合は、ステップＳ３３に移行して、所定の変換方式によって、そのデータがそのままデコード再生される。これは、図９（ｂ）に示されるように、同じ仕様を持つデジタルカメラ１０では、そのエンコードデコード方法を決めておけるので容易に実施が可能である。一方、上記ステップＳ３２にてデコーダできない場合はステップＳ３４へ移行する。
【００８０】
また、長時間を費やさなければ再生できない音楽の場合、バーコード内にその音声信号を入れ込むことができない。この場合、携帯電話機６３やデジタルカメラ１０が内蔵メモリ内に音楽データベースを持つようにして、対応する音楽のデータの場所を表すアドレスをバーコードにて表現する方法により、音楽の題名表示や再生等が可能となる。
【００８１】
ステップＳ３４では、上記内蔵メモリ内にこれらの音楽データのうち当該曲目データがあるか否かが判定される。ここで、曲目データがある場合はステップＳ３５にて曲目が表示され、曲目データが無い場合はステップＳ３５をスキップしてステップＳ３６へ移行する。
【００８２】
更に、ステップＳ３６では、上記内蔵メモリ内に上記音楽データのうち対応する音声データがあるか否かが判定される。ここで、対応音声データがある場合はステップＳ３７に移行して音声が再生される。一方、音声データが無い場合はステップＳ３８へ移行する。
【００８３】
尚、上述した曲目及び音声データが、図９（ａ）、（ｂ）に示された携帯電話機６３やデジタルカメラ１０の機器内に存在しない場合は、他の機器との通信によってデータ入手が可能となる。
【００８４】
つまり、ステップＳ３８にて、ユーザにより所定の検索操作が行われると、ステップＳ３９へ移行して他の機器との通信が行われる。携帯電話機６３の場合は、簡単にインターネット経由で所定の基地局にアクセスすることができる。その基地局のアドレス等をバーコードに情報として入れておくようにし、携帯電話機６３でそのアドレスにアクセスすることができるような構成としておく。また、デジタルカメラ１０の場合にも、無線通信機能がある場合と同様の考え方で通信し、検索用コードを送信することができる。
【００８５】
更に、無線通信以外に有線でも、パーソナルコンピュータ等に接続することができれば、そのパーソナルコンピュータ内に収められたＣＤ−ＲやＤＶＤのデータベースを検索できるようにしてもよい。或いは、Ｗｅｂを介して所定のプロバイダにアクセスして音楽データを検索できるようにしてもよい。
【００８６】
このようにして、ステップＳ４０にて通信が可能であるとされた場合は、ステップＳ４１で通信が行われ、続くステップＳ４２にて検索されたデータが返信されてくるのを再生する。一方、上記ステップＳ４０にて通信ができない場合は、ステップＳ４３に移行して録音を行うようにする。
【００８７】
尚、上記ステップＳ３３、Ｓ３７、Ｓ４２、Ｓ４３の処理動作の後、及びステップＳ３８で検索されない場合は、本ルーチンが終了する。
【００８８】
以上説明したように、本プロジェクタによれば、ユーザが鑑賞した画像のみならず、プリントアウトした用紙を利用して、ＢＧＭとして使用された音楽の曲目を検索したり、音楽再生したりすることが簡単に可能となる。これによって、音楽を再生したり、音楽データを文字データに変換したりすることが可能になる。
【００８９】
このように、本発明によれば、プロジェクタ特有の機能である、投影する距離に応じて、容易に画面サイズを切り換えられることを考慮している。また、プロジェクタでの画像再生時には近年、ＢＧＭや効果音を含む音声再生が同時に行われる傾向にあることを考慮して音楽情報のプリントアウトを可能とし、画像と音楽を合わせてプリントとして出力することができるようにした。また、明るいプロジェクタでは高圧水銀ランプ等が利用されていてその起動の安定や消灯時の冷却に時間がかかること等を考慮して、この時間を有効利用してユーザのストレスを軽減することが可能となる。
【００９０】
以上、本発明の実施形態について説明したが、本発明は上述した実施形態に限定されるものではなく、本発明の要旨を逸脱しない範囲で種々の変形実施が可能であるのは勿論である。
【図面の簡単な説明】
【００９１】
【図１】本発明の一実施形態に係るプロジェクタシステムの電気系の構成を示すブロック図である。
【図２】（ａ）は図１の構成のプロジェクタシステムの操作方法について説明する図、（ｂ）はＢＧＭに対して画像が順次切り換えられる例を説明する図である。
【図３】（ａ）はプロジェクタ２０の内部に搭載された光源部（ランプ）の、より詳細な構成を示した図で、（ｂ）は（ａ）のＤＭＤの構造例を示した図である。
【図４】プロジェクタ２０によって投影される画像のサイズが、投影距離によって変化することを説明する図である。
【図５】本発明の一実施形態に係るプロジェクタシステムの再生動作を説明するフローチャートである。
【図６】本発明の一実施形態に係るプロジェクタシステムの再生動作を説明するフローチャートである。
【図７】投影距離ＬP を求めるための測距装置の構成例を示した図である。
【図８】本発明の一実施形態のプロジェクタにより画像をプリントアウトする例を示した図である。
【図９】本発明の一実施形態に係るプロジェクタを使用して印刷されたバーコードから音楽再生する例を説明するもので、（ａ）はカメラ付きの携帯電話機を使用してバーコードから音楽を再生する例を示した図、（ｂ）はデジタルカメラを使用してバーコードから音楽再生する例を示した図である。
【図１０】本発明の一実施形態に係るプロジェクタを使用して印刷されたバーコードから音楽再生する動作を説明するフローチャートである。
【符号の説明】
【００９２】
１０…カメラ部（デジタルカメラ）、１１、２１…制御部、１２…記録再生部、１３…メモリ、１４、３０…操作スイッチ、２０…プロジェクタ、２２…展開部、２３…表示部、２４…ピント制御部、２５…投影レンズ、２６…ランプ（高圧水銀ランプ）、２７…表示用メモリ、２８…プリンタ用メモリ、２９…距離検出部、３１…アンプ、３２…プリント部、３３…内蔵スピーカ、３５…外部スピーカ、３６…用紙（プリント用紙）、４５…リフレクタ、４６…ライトガイド、４７…カラーホイール、４８…レンズ、４９Ａ、４９ｂ…コントローラ、５０…デジタルミラーデバイス（ＤＭＤ）。
【図１】
2006126480.tif 000003
【図２】
2006126480.tif 000004
【図３】
2006126480.tif 000005
【図４】
2006126480.tif 000006
【図５】
2006126480.tif 000007
【図６】
2006126480.tif 000008
【図７】
2006126480.tif 000009
【図８】
2006126480.tif 000010
【図９】
2006126480.tif 000011
【図１０】
2006126480.tif 000012